(57)【要約】【課題】外力に起因する振動に強く、高い集光効率を実現でき、かつ、配光曲線における双峰性を解消して、中心部が暗くならないスポットライトの得られる管球を提供すること。【解決手段】気密封止されたバルブ内にフィラメント体５６が収納された構成を有する管球であって、前記フィラメント体５６は、前記バルブの中心軸Ｂを含む位置に配され、扁平に巻かれた単フィラメントコイル６０からなる。【選択図】図３
2009026684.tif 000002
【特許請求の範囲】
【請求項１】
気密封止されたバルブ内にフィラメント体が収納された構成を有する管球であって、
前記フィラメント体は、前記バルブの中心軸を含む位置に配され、扁平に巻かれた単フィラメントコイルからなることを特徴とする管球。
【請求項２】
反射鏡と、
前記反射鏡内に、当該反射鏡の光軸と前記中心軸とが略重なる状態で組み込まれている請求項１に記載の管球と、
を有することを特徴とする反射鏡付き管球。
【発明の詳細な説明】
【技術分野】
【０００１】
本発明は、管球および反射鏡付き管球に関し、特に、管球におけるフィラメント体の改良技術に関する。
【背景技術】
【０００２】
反射鏡付き管球の一種である反射鏡付きハロゲン電球は、凹面状をした反射面を有する反射鏡とハロゲン電球とを組み合わせてなるものであり、例えば、店舗などのスポット照明用として使用されている。
ハロゲン電球は、気密封止されたバルブ内にフィラメント体が収納されてなる構成を有している。ハロゲン電球を反射鏡と組み合わせて使用する場合には、フィラメント体をできるだけコンパクトにして、その発光領域を可能な限り反射鏡の焦点位置に集中させることによって、集光効率を向上させることができる。この場合に、発光領域を特に反射鏡の光軸方向、すなわち、ハロゲン電球を反射鏡に組み込んだ際に前記光軸と略重なることとなる前記バルブの中心軸方向に縮小することが、集光効率を向上させるためには効果的であることが知られている。
【０００３】
しかしながら、一般的に、ハロゲン電球の定格電圧［Ｖ］、定格電力[Ｗ]、および定格寿命（例えば、３０００時間）が決まると、これに応じて、フィラメント体を構成するタングステン線の線径や長さが実質的に定まってしまう。したがって、例えば、単純にタングステン線の長さを短縮することによってフィラメント体のコンパクト化を図ることは困難である。
【０００４】
そこで、定格電圧１００[Ｖ]以上のハロゲン電球において、実用化されているものは、一般的に、フィラメント体のコンパクト化を図るため二重巻きコイルが用いられている。また、特許文献１には、さらなるコンパクト化のため、フィラメント体として、三重巻きコイルを用いたハロゲン電球が開示されている。これによれば、タングステン線の長さが同じであれば、反射鏡の光軸方向（バルブの中心軸方向）におけるコイル全体の長さを短縮でき、もって集光効率が向上することとなるからである。
【０００５】
ところが、コイルの重ね巻数を増やせば増やすほど、ハロゲン電球に外力（衝撃力）が加えられた際に生じるコイル全体の振動の振幅が大きくなり、これが原因で断線し易くなるといった問題が生じる。
この問題を解決しつつ、フィラメント体のコンパクト化（光軸方向の短縮化）を図れるハロゲン電球として、特許文献２には、３個または４個の一重円筒コイルが反射鏡の光軸に対して全体的に対称となるように、各々の一重円筒コイルを反射鏡の光軸と平行に配したものが開示されている。これにより、３個または４個の一重円筒コイルに相当するものを１個の一重コイルで作製した場合と比較して、光軸方向の長さが短縮されるので、集光効率が向上することとなる。また、各々のコイルは一重なので、上記振動に因る問題も軽減される。
【特許文献１】特開２００１−３４５０７７号公報
【特許文献２】特表平６−５１０８８１号公報
【発明の開示】
【発明が解決しようとする課題】
【０００６】
しかしながら、光軸を中心として軸対称に複数個の一重コイルを配してなる上記フィラメント体を備えたハロゲン電球を反射鏡に組み込んでスポットライト照明として用いた場合、照射面におけるスポットライトの中心部が暗くなり、その周囲が明るくなるといったいわゆるドーナッツ状のスポット形状になることが判明した。
この現象は、二重巻きコイルや三重巻きコイル一つでフィラメント体を構成した場合には見られなかったものであり、このようなスポット形状は、対象物を文字通りスポット的に浮かび上がらせるためのスポット照明として、好ましくないことは言うまでもない。
【０００７】
本発明は、上記した課題に鑑み、外力に起因する振動に強く、高い集光効率を実現でき、かつ、配光曲線における双峰性を解消して、中心部が暗くならないスポットライトの得られる管球を提供することを目的とする。また、本発明は、そのような管球を有する反射鏡付き管球を提供することを目的とする。
【課題を解決するための手段】
【０００８】
上記の目的を達成するため、本発明に係る管球は、気密封止されたバルブ内にフィラメント体が収納された構成を有する管球であって、前記フィラメント体は、前記バルブの中心軸を含む位置に配され、扁平に巻かれた単フィラメントコイルからなることを特徴とする。
また、上記の目的を達成するため、本発明に係る反射鏡付き管球は、反射鏡と、前記反射鏡内に、当該反射鏡の光軸と前記中心軸とが略重なる状態で組み込まれている上記管球と、を有することを特徴とする。
【発明の効果】
【０００９】
上記構成からなる管球によれば、(1)フィラメント体が単フィラメントコイルからなるので、外力に起因する衝撃に強く、(2)単一の発光領域となることから反射鏡と組み合わせて使用した場合でも、双峰性の解消したスポットライトが得られ、また、(3)バルブの中心軸を含む位置に配された単フィラメントコイルが扁平に巻かれたものであるので、バルブの中心軸方向に短縮することが可能となる関係上、高い集光効率を実現できる。
【発明を実施するための最良の形態】
【００１０】
以下、本発明の実施の形態について、図面を参照しながら説明する。
＜実施の形態１＞
図１は、実施の形態１に係る管球の一例として示すハロゲン電球１４を備える照明装置１０の概略構成を示す一部切欠き図である。なお、図１を含む全ての図面において、各部材間の縮尺は統一していない。
【００１１】
照明装置１０は、例えば、住宅、店舗、あるいはスタジオ等におけるスポットライト照明として用いられる。照明装置１０は、照明器具１２とハロゲン電球１４とを有する。
照明器具１２は、有底円筒状をした器具本体１６と器具本体１６に収納された反射鏡１８とを有する。
器具本体１６の底部には、ハロゲン電球１４の口金３０（図２参照）を取り付けるための受け具（図示せず）が設けられている。なお、器具本体１６は、円筒状に限らず、種々の公知形状とすることができる。
【００１２】
反射鏡１８は、ハロゲン電球１４を取替え可能とするため、器具本体１６に対し、着脱可能である。
反射鏡１８は、漏斗状をした硬質ガラス製基体２０を有する。基体２０において回転楕円面または回転放物面等に形成された凹面部分２０Ａには、反射面を構成する多層干渉膜２２が形成されている。多層干渉膜２２は、二酸化ケイ素（ＳｉＯ2）、二酸化チタン（ＴｉＯ2）、フッ化マグネシウム（ＭｇＦ）、硫化亜鉛（ＺｎＳ）等で形成することができる。また、多層干渉膜２２に代えてアルミニウムやクロム等からなる金属膜で反射面を構成することもできる。反射鏡１８の開口径（ミラー径）は３５[ｍｍ]〜５０[ｍｍ]の範囲で選択でき、ビームの開き（ビーム角）が、狭角（約１０°）のものである。なお、狭角に限らず、中角（約２０°）、広角（約３５°）でも構わず、狭角、中角、広角共に、その許容されるビームの開きの範囲はＩＥＣ規格で規定されている通り、±２５[％]である。また、反射面には必要に応じてファセットを形成してもよい。
【００１３】
反射鏡１８は、基体２０の開口部（光照射開口部）に設けられた前面ガラス２４を有する。本例では、前面ガラス２４は基体２０に固着されており、ハロゲン電球１４の取替えのため、基体２０部分が器具本体１６と着脱自在な構成となっているが、これに限らず、基体を器具本体に固定し、前面ガラスを基体に対し着脱自在な構成としても構わない。
ハロゲン電球１４は、前記受け具（不図示）に取り付けられ、反射鏡１８内に組み込まれて使用される。組み込まれた（取り付けられた）状態で、ハロゲン電球１４における後述するバルブ２６の中心軸Ｂと反射鏡１８の光軸Ｒとが略同軸上に位置することとなる（中心軸Ｂと光軸Ｒとが略重なることとなる）。ハロゲン電球１４は、定格電圧が１００[Ｖ]以上１５０[Ｖ]以下で、かつ定格電力が２０[Ｗ]〜３５[Ｗ]以下に設定された電球である。
【００１４】
図２に、ハロゲン電球１４の一部切欠き正面図を示す。
ハロゲン電球１４は、気密封止されたバルブ２６と、バルブ２６の後述する封止部３８側に接着剤２８によって固着された、例えばＥ型の口金３０とを有している。
バルブ２６は、封止切りの残痕であるチップオフ部３２、後述するフィラメント体５６等を収納するフィラメント体収納部３４、略円筒状をした筒部３６、および公知のピンチシール法によって形成された封止部３８がこの順に連なった構造をしている。
【００１５】
フィラメント体収納部３４は、図２に示すように、略回転楕円体形状をしている。ここで言う「略回転楕円体形状」とは、完全な回転楕円体形を含むことはもちろんのこと、ガラスの加工上ばらつく程度分、完全な回転楕円体形からずれた形状を含むことを意味している。なお、フィラメント体収納部は、上記した形状に限らず、例えば、略円筒形状や略球形状、あるいは略複合楕円体形状としても構わない。
【００１６】
また、バルブの構造も上記したものに限らず、例えば、チップオフ部（場合によっては無い場合もある）、フィラメント体収納部、封止部がこの順に連なったものとすることができる。
なお、フィラメント体収納部３４の外面には赤外線反射膜が形成されている。もっとも、この赤外線反射膜は必ずしも必要なものではなく、適宜形成されるものである。
【００１７】
バルブ２６内には、ハロゲン物質と希ガスとがそれぞれ所定量封入されている。これに加えて、窒素ガスを封入することとしても構わない。
ハロゲン物質は、点灯中、ハロゲンサイクルによって、フィラメント体５６から蒸発したその構成物質であるタングステンを再びフィラメント体５６に戻し、バルブ２６の黒化を防止するためのものである。ハロゲン物質の濃度は１０［ｐｐｍ］〜３００［ｐｐｍ］の範囲内にあることが好ましい。また、ハロゲンサイクルを活性化させるためには、バルブ２６内面における最冷点温度が２００［℃］以上であることが好ましい。さらに、ハロゲンサイクルを適切に機能させるためには、バルブ２６内の酸素濃度を１００［ｐｐｍ］以下にすることが好ましい。
【００１８】
希ガスには、クリプトンガスを用いることが好ましい。
特に、封入ガスは、クリプトンを主成分とした、窒素ガスおよびハロゲン物質を含むものとし、バルブ２６内での常温時におけるガス圧を２［ａｔｍ］〜１０［ａｔｍ］の範囲内に設定することが好ましい。当該ガス圧が１０[ａｔｍ]を超えると、万一バルブ２６が破損した場合に、飛散する破片で照明器具が破損するおそれがあり、一方、２[ａｔｍ]未満であると、フィラメント体５６の構成物質であるタングステンが蒸発し易く、ランプ寿命が短くなるからである。換言すると、ガス圧の上記範囲は、当該ガス圧が適度に抑制されているため、万一バルブ２６が破損したとしても、照明器具が破損するほどの勢いで破片が飛散せず、かつ、当該ガス圧が適度に高いため、フィラメント体５６の構成物質であるタングステンが蒸発しにくく、長寿命化を実現できる範囲である。
【００１９】
また、封入ガスに窒素ガスを含ませる場合、窒素ガスの組成比率は８［％］〜４０［％］の範囲内に設定することが好ましい。
封止部３８内には、一対の金属箔４０，４２が封着されている。金属箔４０，４２はモリブデン製である。なお、封止部３８に封着されている金属箔４０，４２の過熱による酸化が原因で、バルブ２６の気密性が損なわれるのを防止するため、封止部３８の表面を凹凸にして、当該表面積を増やし、封止部３８での放熱性を向上させることが好ましい。
【００２０】
金属箔４０の一端部には外部リード線４４の一端部が、金属箔４２の一端部には外部リード線４６の一端部が、それぞれ接合されて電気的に接続されている。外部リード線４４，４６は、タングステン製である。外部リード線４４，４６の他端部は、バルブ２６の外部に導出されていて、それぞれ、口金３０の端子部４８，５０に電気的に接続されている。
【００２１】
ここで、２本の外部リード線４４，４６の内、少なくとも一方の外部リード線と口金３０の対応する端子部（４８または５０）との間に、ヒューズ（図示せず）を設けておくことが好ましい。当該ヒューズを設けることにより、万一、発光部（後述）で断線が生じ、その断線箇所でアーク放電が発生したとしても、即座にヒューズが溶断されてアーク放電の継続を絶ち、もってアーク放電の衝撃でバルブ２６が破損等するのを防止できる。
【００２２】
金属箔４０の他端部には内部リード線５２の一端部が、金属箔４２の他端部には内部リード線５４の一端部が、それぞれ接合されて電気的に接続されている。内部リード線５２，５４は、金属線の一例として示すタングステン線からなり、その径は、例えば、０.５[ｍｍ]である。内部リード線５２，５４の一端部は、バルブ２６の封止部３８で支持されていて、当該封止部３８からバルブ２６内空間に延出されている。内部リード線５２，５４は、口金３０を介して供給される外部電力をフィラメント体５６に給電すると共に、フィラメント体５６の一部を直接に支持する導電性支持部材としての役割を果たす。
【００２３】
図３（ａ）に、フィラメント体５６が支持されてなるマウント５８の斜視図を示す。
フィラメント体５６を支持する内部リード線５２，５４は、その一部がステムガラス６３で挟着されている。ステムガラス６３は、円柱形をした一対のガラス部材５７，５９を平行に溶着させたものである。これによって、両内部リード線５２，５４相互間の相対的な位置が保持されることとなる。
【００２４】
フィラメント体５６は、単フィラメントコイル６０一個で構成されている。単フィラメントコイル６０は、タングステンからなるフィラメント線が、短軸と長軸とを有する扁平な横断面をした筒状に巻かれてなるものであり、そのコイル軸芯ＣＸが曲げられることなく略真直ぐな状態で用いられる。フィラメント体５６として単コイルを採用したのは、ハロゲン電球に外力（衝撃力）が加わった場合であっても、コイルの振動に起因する断線を生じにくくするためである。
【００２５】
また、単フィラメントコイル６０として、扁平な筒状に巻かれたコイル（以下、「扁平コイル」と言う。）を採用したのは、以下の理由による。すなわち、円筒状に巻回されてなる単コイル（以下、「円筒コイル」と略称する。）と比較して、（扁平な筒の短軸長と円筒の直径が等しいとした場合）１ターン当たりの素線長を長くすることができる関係上、タングステン線の素線長が同じであれば、コイル長を短縮でき、もって、反射鏡の光軸方向（バルブ中心軸）におけるコイルフィラメント（発光部）の縮小化が図れることとなるからである。
【００２６】
扁平コイルである単フィラメントコイル６０は、以下のようにして作製される。
すなわち、図４に示すように、円柱状をした芯線（マンドレル）６２を複数本（図示例では４本）、平行かつ一列に密着させて並べたものの外周に、タングステンからなるフィラメント線６４を、後述する拡開部を除き全体的に所定の等ピッチ（一様ピッチ）で巻回した後、芯線６２を化学的に溶解除去して作製する。なお、フィラメント線の径は、例えば、０.０５ｍｍで、前記所定の等ピッチは、例えば、０.０７９ｍｍに設定される。
【００２７】
図５の上部に示すのは、単フィラメントコイル６０をそのコイル軸心ＣＸ方向から視た平面図を模式的に表したものであり、図５の下部に示すのは、同正面図を模式的に表したものである。
図５の上部に示すように、単フィラメントコイル６０は、そのコイル軸心ＣＸ方向から見て、平行に配された２本の線分の対応する端同士を半円で結んでなる、いわゆる（陸上競技の）トラック形状をしている。この形状は、上記した作製方法に由来するものであり、芯線６２の本数が多いほど、より扁平したトラック形状となる。すなわち、芯線６２の本数で、扁平の度合い（扁平率）を調整することができる。
【００２８】
ここで、扁平率は、単フィラメントコイル６０内周における長軸ＬＸの長さ（長径）を短軸ＳＸの長さ（短径）で除して得られる値と規定する。本例では、上記した製作法を採る関係上、扁平率は整数の値となり、一例として、扁平率を「４」としている。
また、単フィラメントコイル６０は、全体的には、略一様なピッチで巻かれているのであるが、その中間部の両側に、上記略一様なピッチよりも拡げられた拡開部６０Ｅ１，６０Ｅ２を有する。拡開部６０Ｅ１，６０Ｅ２は、１〜２巻（ターン）の範囲で形成される。拡開部６０Ｅ１，６０Ｅ２は、前述した単フィラメントコイル６０の作製工程において、芯線６２にフィラメント線６４を巻く際に形成される。なお、「拡開部」は、コイルにおいてピッチがとんでいる（ピッチが大きくなっている）部分であることから「とばし部」と称することもある。
【００２９】
単フィラメントコイル６０において、拡開部６０Ｅ１，６０Ｅ２よりも端部側の部分が、それぞれ、内部リード線５２，５４に接続される（内部リード線５２，５４で支持される）継線部６０Ｂ１，６０Ｂ２となる。
拡開部６０Ｅ１，６０Ｅ２を設ける目的は、フィラメント体６１において、発光領域（発光するフィラメント線部分の長さ）を安定させるためである。内部リード線５２，５４と接触するフィラメント線部分は、通電状態において発光しない。拡開部６０Ｅ１，６０Ｅ２を設けない場合（すなわち、継線部となるべき部分と発光部となるべき部分とが、拡開部を介することなく、連続している場合）、両継線部６０Ｂ１，６０Ｂ２間が発光すべきなのであるが、発光部と継線部６０Ｂ１，６０Ｂ２との境界が不明確となり、継線部となるべき部分が不用意に発光したり、その逆に、発光すべき部分が発光しなかったりする事態が生じる。そこで、拡開部６０Ｅ１，６０Ｅ２を設け、継線部６０Ｂ１，６０Ｂ２と発光部との間に存するフィラメント線部分（すなわち、拡開部６０Ｅ１，６０Ｅ２に存するフィラメント線部分）は、積極的に発光させないこととすることにより、発光部の基端（フィラメント線の発光端）を明確にすることとしているのである。これにより、発光するフィラメント線部分の長さが安定する関係上、消費電力が安定することとなる。
【００３０】
ここで、上記の目的を確実に達成するためには、継線部６０Ｂ１，６０Ｂ２における、単フィラメントコイル６０の中央側（拡開部６０Ｅ１，６０Ｅ２側）の最終ターン（巻き線部分）を、内部リード線５２，５４に確実に接触させる必要がある。
図３に戻り、単フィラメントコイル６０の端部から導入された内部リード線５２は、拡開部６０Ｅ２から導出されていて、導出部５２Ａが、単フィラメントコイル６０の対応する端部側に折り曲げられている。
【００３１】
内部リード線５２の単フィラメントコイル６０内における形態について、図６を参照しながら説明する。図６は、図３に示す矢印Ａの向きに継線部６０Ｂ２を見た図であり、継線部６０Ｂ２を断面で表し、その内部における内部リード線５２部分の形態を分かり易くした図である。なお、継線部６０Ｂ２は、両端以外の同一形状部分を一部省略したものであり、当該同一形状部分については、コイルの内径と外径を一点鎖線で表したものである。また、継線部６０Ｂ２等の手前に見える内部リード線５４（図３）の図示は省略した。
【００３２】
内部リード線５２は、扁平な横断面を有する筒状に巻かれた単フィラメントコイル６０内において、前記横断面の長軸方向に「く」字状に屈曲された屈曲部５２Ｂを有する。屈曲部５２Ｂを設けない場合、単フィラメントコイル６０が内部リード線を中心として回転してしまうのであるが、当該屈曲部５２Ｂを設けることにより、当該回転を防止できる。回転を防止するのは、回転してしまうと、継線部６０Ｂ２（図３）が内部リード線５４に異常に接近したり、場合によっては接触したりして、内部リード線５４との間で放電や、短絡が生じる恐れがあり、好ましくないからである。屈曲部５２Ｂの高さＨは、前記長軸の長さと略等しいことが好ましい。
【００３３】
なお、屈曲部５２Ｂにおいて「く」字状の屈曲角度βは特に限定されるものではなく、図示した角度より小さくても大きくても構わない。
また、屈曲の形態も「く」字状に限定されるものではなく、上述した目的が達成できる（効果が得られる）形態であれば構わない。上記の例では、内部リード線５２を３箇所で折曲して「く」字状にしたが、例えば、４箇所で折曲して「コ」字状としても構わない。あるいは、円弧状や蛇行状等としても構わない。
【００３４】
屈曲部５２Ｂ両側にストレート部５２Ｃ，５２Ｄが、継線部６０Ｂ２の前記長軸方向一端部側内周に沿い、継線部６０Ｂ２（単フィラメントコイル６０）の軸心方向に延びている。ストレート部５２Ｄに続く部分は、拡開部６０Ｅ２から単フィラメントコイル６０外へ導出されていて、当該導出部５２Ａが、前述したように、単フィラメントコイル６０の端部側に折り曲げられている。当該折り曲げは、内部リード線５２の、継線部６０Ｂ２における拡開部６０Ｅ２側の最終巻き線（最終ターン）６０Ｔ１と接触する位置を基点としてなされている。折り曲げ角度αは、４５度以下が好ましい。
【００３５】
このように、導出部５２Ａを折り曲げることにより、内部リード線５２を最終巻き線６０Ｔ１と確実に接触させることができ、もって、継線部６０Ｂ２が不用意に発光することを防止できる。
また、導出部５２Ａを折り曲げることで、継線部６０Ｂ２が内部リード線５２から脱落するのを防止できる。図６において、二点鎖線で示す折り曲げない状態のままであると、ハロゲン電球１４に外力が加わって、例えば、フィラメント体５６が扁平の長軸方向に振動した場合に導出部５２Ａから継線部６０Ｂ２が抜け出してしまう事態が生じるのであるが、上記のように折り曲げることで、フィラメント線が内部リード線５２の端部を越えて振動することが無いので、上記のような事態を防止できるのである。
【００３６】
図３に戻り、封止部３８（図２）から延出されたもう一方の内部リード線５４は、その延出端部部分に、「コ」字状に屈曲したコイル支持部５４Ａを有する。
単フィラメントコイル９４の継線部６０Ｂ１は、内部リード線５４のコイル支持部５４Ａで支持されている。
上記の構成からなるマウント５８において、内部リード線５２，５４を介して給電すると、単フィラメントコイル６０の中間部６０Ａ（拡開部６０Ｅ１から拡開部６０Ｅ２に至る部分）の全体が発光することとなる。以下、この中間部６０Ａを発光部６０Ａとも称することとする。ここで、発光部６０Ａの長さ（コイル軸芯ＣＸ方向の長さ）は、３[ｍｍ]〜８[ｍｍ]の範囲で、例えば、５[ｍｍ]である。
【００３７】
このように、ハロゲン電球１４（図２）では、フィラメント体が単一の発光部６０Ａで構成されているので、反射鏡１８と組み合わせて使用した場合でも、双峰性の解消したスポットライトが得られる。
また、単フィラメントコイル６０を、反射鏡１８の光軸Ｒ（バルブ２６の中心軸Ｂ）を貫く位置（本例では、単フィラメントコイル６０のコイル軸芯ＣＸがバルブ２６の中心軸Ｂと略重なる位置）に配しているので、高い集光効率が実現できる。
【００３８】
さらに、単フィラメントコイル６０は、扁平コイルなので、円筒コイルと比較して、反射鏡１８の光軸Ｒ（バルブ２６の中心軸Ｂ）に短縮できるため、これによっても高い集光効率を実現できる。
＜実施の形態２＞
図７は、実施の形態２に係る反射鏡付きハロゲン電球１００の概略構成を示す縦断面図である。
【００３９】
反射鏡付きハロゲン電球１００は、反射鏡一体型のハロゲン電球であるが、これに用いているハロゲン電球１０２は、主として口金が異なる以外は、実施の形態１に係るハロゲン電球１４（図２）と基本的に同じ構成なので、共通部分には、同じ符号を付して、その説明については省略する。
反射鏡１０４は、硬質ガラスまたは石英ガラス等からなり、漏斗状をした基体１０６を有する。基体１０６において回転楕円面または回転放物面等に形成された凹面部分１０６Ａには、反射面を構成する多層干渉膜１０８が形成されている。多層干渉膜１０８は、二酸化ケイ素（ＳｉＯ2）、二酸化チタン（ＴｉＯ2）、フッ化マグネシウム（ＭｇＦ）、硫化亜鉛（ＺｎＳ）等で形成することができる。また、多層干渉膜１０８に代えてアルミニウムやクロム等からなる金属膜で反射面を構成することもできる。反射鏡１０４の開口径（ミラー径）は３５[ｍｍ]である。なお、反射面には必要に応じてファセットを形成してもよい。
【００４０】
反射鏡１０４は、基体１０６の開口部（光照射開口部）に設けられた前面ガラス１１０を有する。前面ガラス１１０は、基体１０６に公知の止め金具１１２によって係止されている。なお、止め金具１１２に代えて、接着剤で固着してもよい。あるいは、両方を併用しても構わない。もっとも、前面ガラスは、反射鏡付きハロゲン電球の必須の構成部材ではなく、無くても構わない。
【００４１】
基体１０６のネック部１０６Ｂは、ハロゲン電球１０２の口金１１４の端子部１１６，１１８とは反対側に設けられた基体受け部１２２と嵌合された上、接着剤１２４で固着されている。なお、基体１０６の口金１１４への取り付けに先立って、バルブ２６が、口金１１４に取り付けられている。言うまでも無く、口金１１４にバルブ２６と基体１０６（反射鏡１０４）とが取り付けられた状態で（すなわち、反射鏡１０４内にハロゲン電球１０２が組み込まれた状態で）、バルブ２６の中心軸と反射鏡１０４の光軸とが略同軸上に位置する（前記中心軸と前記光軸とが略重なる）こととなる。
【００４２】
以上、本発明を実施の形態に基づいて説明してきたが、本発明は、上記した形態に限らないことは勿論であり、例えば、以下の形態とすることもできる。
（１）フィラメントコイルは、上記したトラック形状に限らず、他の扁平形状でも構わない。要は、互いに直交する長軸と短軸を有する扁平な横断面をした筒状に巻回されていれば構わない。また、扁平率も整数に限らず、任意の小数をとり得る。
【００４３】
ここで、本発明において「短軸と長軸とを有する扁平な横断面」とは、以下に記すような形状のものを含む。当該形状について図８を参照しながら説明する。なお、図８では、短軸に符号「ＳＸ」を、長軸に符号「ＬＸ」を、また、短軸および長軸の両軸と略直交する中心軸（すなわち、コイル軸心）に符号「ＣＸ」をそれぞれ付している。
（i）同図（ａ）に示すように、コイル軸心ＣＸ方向から見て、上記したトラック形状のもの、つまり二つの平行な線分とそれらの各々の両端を略半円で結んだもの。
【００４４】
（ii）同図（ｂ）に示すように、コイル軸心ＣＸ方向から見て、円形を押し潰した形状のもの。
（iii）同図（ｃ）に示すように、コイル軸心ＣＸ方向から見て、略楕円形状のもの
（iv）同図（ｄ）に示すように、コイル軸心ＣＸ方向から見て、略長方形のもの。但し、四隅は、加工上、丸みを帯びる。
【００４５】
（v）その他、コイル軸心ＣＸ方向から見て、上記（i）〜（iv）に類似した形状のもの。例えば上記（i）において、同図（ｅ）に示すように、二つの平行な線分が内方向に湾曲していても上記（i）に類似した形状として含む。また、ここでは、加工ばらつきによる上記（i）〜（iv）の変形形状も含む。
（３）上記実施の形態では、管球の一例としてハロゲン電球を示したが、本発明は、ハロゲン電球以外の管球にも適用可能である。要は、コイルフィラメントに電流を流して白熱発光させる光源であれば構わないのである。
【産業上の利用可能性】
【００４６】
本発明に係る管球は、例えば、スポット照明用の光源として好適に利用可能である。
【図面の簡単な説明】
【００４７】
【図１】実施の形態１に係るハロゲン電球を備えた照明装置の概略構成を示す一部切欠き図である。
【図２】上記ハロゲン電球を示す図である。
【図３】単フィラメントコイルを有するマウントを示す斜視図である。
【図４】上記単フィラメントコイルの製作方法を説明するための図である。
【図５】上記単フィラメントコイルの平面図（上部）と正面図（下部）を表す模式図である。
【図６】図３に示す矢印Ａの向きに継線部を見た図であり、継線部を簡易断面で表し、その内部における内部リード線部分の形態を分かり易くした図である。
【図７】実施の形態２に係る反射鏡付きハロゲン電球の概略構成を示す図である。
【図８】扁平な筒（状）の横断面の形状を例示した図である。
【符号の説明】
【００４８】
１４，１０２    ハロゲン電球
２６    バルブ
６０  単フィラメントコイル
５６    フィラメント体
１００    反射鏡付きハロゲン電球
１０４    反射鏡
【図１】
2009026684.tif 000003
【図２】
2009026684.tif 000004
【図３】
2009026684.tif 000005
【図４】
2009026684.tif 000006
【図５】
2009026684.tif 000007
【図６】
2009026684.tif 000008
【図７】
2009026684.tif 000009
【図８】
2009026684.tif 000010